(57)【要約】【課題】  個別情報をネットワーク網に流す頻度をより低減するためのネットワーク再送信装置及びネットワーク受信装置を提供する。【解決手段】  放送事業者の送信機から暗号化されて送信されたデジタル放送信号がネットワーク再送信装置により暗号化されて送信された信号を受信するネットワーク受信装置であって、前記ネットワーク再送信装置によって暗号処理された放送信号について解読処理を行う第１のデスクランブラと、前記第１のデスクランブラからの信号をInternet Protocol網より取得した個別情報に基づき前記放送事業者の送信機が行った暗号処理の解読処理を行う第２のデスクランブラとを備えたことを特徴とするネットワーク受信装置。【選択図】      図２
2008011206.tif 000002
【特許請求の範囲】
【請求項１】
放送事業者の送信機から送信されたデジタル放送に係る放送信号をネットワーク受信装置に再送信するネットワーク再送信装置であって、
前記放送事業者の送信機によって暗号処理された放送信号について解読処理を行うことなく該放送信号の全てまたは一部に前記放送事業者の送信機が行った暗号処理とは異なる暗号処理を行いInternet Protocol網へ送信する多重暗号化部と、
前記放送信号を選局後の前記多重暗号化部へ導かれる信号から個別情報を選別し分離し個別情報がInternet Protocol網に常時送信されるのを防ぐように働くデマルチプレクサと、
前記デマルチプレクサからの個別情報を記憶する記憶部と、
前記多重暗号化部の暗号処理に用いたInternet Protocol網用個別情報と前記記憶部に記憶された個別情報とを配信する配信サーバとを
備えたことを特徴とするネットワーク再送信装置。
【請求項２】
放送事業者の送信機から暗号化されて送信されたデジタル放送信号がネットワーク再送信装置により暗号化されて送信された信号を受信するネットワーク受信装置であって、
前記ネットワーク再送信装置によって暗号処理された放送信号について解読処理を行う第１のデスクランブラと、
前記第１のデスクランブラからの信号をInternet Protocol網より取得した個別情報に基づき前記放送事業者の送信機が行った暗号処理の解読処理を行う第２のデスクランブラとを
備えたことを特徴とするネットワーク受信装置。
【請求項３】
放送事業者の送信機から送信されたデジタル放送に係る放送信号をネットワーク受信装置に再送信するネットワーク再送信装置であって、
前記放送信号を選局後の信号から個別情報と共通情報を選別し分離し個別情報がInternet Protocol網に常時送信されるのを防ぐように働くデマルチプレクサと、
前記デマルチプレクサからの個別情報と共通情報が除かれた信号を解読処理するデスクランブラと、
前記デスクランブラからの信号の全てまたは一部に前記放送事業者の送信機が行った暗号処理とは異なる暗号処理を行う多重暗号化部と、
前記多重暗号化部の暗号処理に伴って生成されるInternet Protocol網用個別情報を配信する配信サーバとを
備えたことを特徴とするネットワーク再送信装置。
【請求項４】
放送事業者の送信機から送信されたデジタル放送に係る放送信号のネットワーク再送信装置からの再送信を受信するネットワーク受信装置であって、
Internet Protocol網より取得するネットワーク再送信装置で生成されたInternet Protocol網用個別情報に基づき前記ネットワーク再送信装置によって暗号処理された放送信号について解読処理を行うデスクランブラを
備えたことを特徴とするネットワーク受信装置。
【請求項５】
放送事業者の送信機から送信されたデジタル放送に係る放送信号をネットワーク受信装置に再送信するネットワーク再送信装置であって、
前記放送信号を選局後の信号から個別情報と共通情報を選別し分離し個別情報がInternet Protocol網に常時送信されるのを防ぐように働くデマルチプレクサと、
前記個別情報と前記共通情報を記憶する記憶部と、
前記デマルチプレクサからの個別情報と共通情報が除かれた信号を解読処理するデスクランブラと、
前記デスクランブラからの信号の全てまたは一部に前記放送事業者の送信機が行った暗号処理とは異なる暗号処理を行う多重暗号化部と、
前記多重暗号化部の暗号処理に伴って生成されるInternet Protocol網用個別情報と前記記憶部に記憶されている個別情報と共通情報を配信する配信サーバとを
備えたことを特徴とするネットワーク再送信装置。
【請求項６】
放送事業者の送信機から送信されたデジタル放送に係る放送信号のネットワーク再送信装置からの再送信を受信するネットワーク受信装置であって、
Internet Protocol網より取得する個別情報と共通情報とネットワーク再送信装置で生成されたInternet Protocol網用個別情報に基づき前記ネットワーク再送信装置によって暗号処理された放送信号について解読処理を行うInternet Protocol網用デスクランブラを
備えたことを特徴とするネットワーク受信装置。
【請求項７】
放送事業者の送信機から送信されたデジタル放送に係る放送信号をネットワーク受信装置に再送信するネットワーク再送信装置であって前記放送事業者の送信機によって暗号処理された放送信号について解読処理を行うことなく該放送信号の全てまたは一部に前記放送事業者の送信機が行った暗号処理とは異なる暗号処理を行う多重暗号化部と前記放送信号を選局後の前記多重暗号化部へ導かれる信号から個別情報を選別し分離し個別情報がInternet Protocol網に常時送信されるのを防ぐように働くデマルチプレクサと前記デマルチプレクサからの個別情報を記憶する記憶部と前記多重暗号化部の暗号処理に伴う個別情報と前記記憶部に記憶された個別情報とを配信する配信サーバとを備えたことを特徴とするネットワーク再送信装置と、
放送事業者の送信機から送信されたデジタル放送に係る放送信号のネットワーク再送信装置からの再送信を受信するネットワーク受信装置であって前記ネットワーク再送信装置によって暗号処理された放送信号について解読処理を行う第１のデスクランブラと前記第１のデスクランブラからの信号を入力しInternet Protocol網より取得する個別情報に基づき前記放送事業者の送信機が行った暗号処理について解読処理を行う第２のデスクランブラとを備えたことを特徴とするネットワーク受信装置とを
構成要素とするネットワーク再送受システム。
【請求項８】
放送事業者の送信機から送信されたデジタル放送に係る放送信号をネットワーク受信装置に再送信するネットワーク再送信装置であって前記放送信号を選局後の信号から個別情報と共通情報を選別し分離し個別情報がInternet Protocol網に常時送信されるのを防ぐように働くデマルチプレクサと前記デマルチプレクサからの個別情報と共通情報が除かれた信号を解読処理するデスクランブラと前記デスクランブラからの信号の全てまたは一部に前記放送事業者の送信機が行った暗号処理とは異なる暗号処理を行う多重暗号化部と前記多重暗号化部の暗号処理に伴って生成されるInternet Protocol網用個別情報を配信する配信サーバとを備えたことを特徴とするネットワーク再送信装置と、
放送事業者の送信機から送信されたデジタル放送に係る放送信号のネットワーク再送信装置からの再送信を受信するネットワーク受信装置であってInternet Protocol網より取得するネットワーク再送信装置で生成されたInternet Protocol網用個別情報に基づき前記ネットワーク再送信装置によって暗号処理された放送信号について解読処理を行うデスクランブラを備えたことを特徴とするネットワーク受信装置とを
構成要素とするネットワーク再送受システム。
【請求項９】
放送事業者の送信機から送信されたデジタル放送に係る放送信号をネットワーク受信装置に再送信するネットワーク再送信装置であって前記放送信号を選局後の信号から個別情報と共通情報を選別し分離し個別情報がInternet Protocol網に常時送信されるのを防ぐように働くデマルチプレクサと前記個別情報と前記共通情報を記憶する記憶部と前記デマルチプレクサからの個別情報と共通情報が除かれた信号を解読処理するデスクランブラと前記デスクランブラからの信号の全てまたは一部に前記放送事業者の送信機が行った暗号処理とは異なる暗号処理を行う多重暗号化部と前記多重暗号化部の暗号処理に伴って生成されるInternet Protocol網用個別情報と前記記憶部に記憶されている個別情報と共通情報を配信する配信サーバとを備えたことを特徴とするネットワーク再送信装置と、
放送事業者の送信機から送信されたデジタル放送に係る放送信号のネットワーク再送信装置からの再送信を受信するネットワーク受信装置であってInternet Protocol網より取得する個別情報と共通情報とネットワーク再送信装置で生成されたInternet Protocol網用個別情報に基づき前記ネットワーク再送信装置によって暗号処理された放送信号について解読処理を行うデスクランブラを備えたことを特徴とするネットワーク受信装置とを
構成要素とするネットワーク再送受システム。
【請求項１０】
電波信号をネットワーク受信装置に再送信するネットワーク再送信装置であって外部で暗号処理された電波信号について解読処理を行うことなく該電波信号の全てまたは一部に前記暗号処理とは異なる暗号処理を行う多重暗号化部と前記電波信号を選局後の前記多重暗号化部へ導かれる信号から個別情報を選別し分離し個別情報がネットワーク網に常時送信されるのを防ぐように働くデマルチプレクサと前記デマルチプレクサからの個別情報を記憶する記憶部と前記多重暗号化部の暗号処理に伴う個別情報と前記記憶部に記憶された個別情報とを配信する配信サーバとを備えたことを特徴とするネットワーク再送信装置と、
電波信号のネットワーク再送信装置からの再送信を受信するネットワーク受信装置であって外部で暗号処理された電波信号について解読処理を行う第１のデスクランブラと前記第１のデスクランブラからの信号を入力しネットワーク網より取得する個別情報に基づき前記暗号処理について解読処理を行う第２のデスクランブラとを備えたことを特徴とするネットワーク受信装置とを
構成要素とするネットワーク再送受システム。
【請求項１１】
電波信号をネットワーク受信装置に再送信するネットワーク再送信装置であって前記電波信号を選局後の信号から個別情報と共通情報を選別し分離し個別情報がネットワーク網に常時送信されるのを防ぐように働くデマルチプレクサと前記デマルチプレクサからの個別情報と共通情報が除かれた信号を解読処理するデスクランブラと前記デスクランブラからの信号の全てまたは一部に外部で行われた暗号処理とは異なる暗号処理を行う多重暗号化部と前記多重暗号化部の暗号処理に伴って生成されるネットワーク網用個別情報を配信する配信サーバとを備えたことを特徴とするネットワーク再送信装置と、
電波信号のネットワーク再送信装置からの再送信を受信するネットワーク受信装置であってネットワーク網より取得するネットワーク再送信装置で生成されたネットワーク網用個別情報に基づき前記ネットワーク再送信装置によって暗号処理された電波信号について解読処理を行うデスクランブラを備えたことを特徴とするネットワーク受信装置とを
構成要素とするネットワーク再送受システム。
【請求項１２】
電波信号をネットワーク受信装置に再送信するネットワーク再送信装置であって前記電波信号を選局後の信号から個別情報と共通情報を選別し分離し個別情報がネットワーク網に常時送信されるのを防ぐように働くデマルチプレクサと前記個別情報と前記共通情報を記憶する記憶部と前記デマルチプレクサからの個別情報と共通情報が除かれた信号を解読処理するデスクランブラと前記デスクランブラからの信号の全てまたは一部に外部で行われた暗号処理とは異なる暗号処理を行う多重暗号化部と前記多重暗号化部の暗号処理に伴って生成されるネットワーク網用個別情報と前記記憶部に記憶されている個別情報と共通情報を配信する配信サーバとを備えたことを特徴とするネットワーク再送信装置と、
電波信号のネットワーク再送信装置からの再送信を受信するネットワーク受信装置であってネットワーク網より取得する個別情報と共通情報とネットワーク再送信装置で生成されたネットワーク網用個別情報に基づき前記ネットワーク再送信装置によって暗号処理された電波信号について解読処理を行うデスクランブラを備えたことを特徴とするネットワーク受信装置とを
構成要素とするネットワーク再送受システム。
【発明の詳細な説明】
【技術分野】
【０００１】
本発明は、電波を受信しネットワーク網へ再送信するネットワーク再送信装置及びそれを受信するネットワーク受信装置に関する。
【背景技術】
【０００２】
放送事業者の送信機から送信されたデジタル放送に係る放送信号を、視聴者宅の受信機に再送信する放送再送信装置（中継器またはヘッドエンド）があり、ARIB標準規格 (ARIB STD-B25 4.1版)で規定されるＣＡＳ（Ｃｏｎｄｉｔｉｏｎａｌ  Ａｃｃｅｓｓ  Ｓｙｓｔｅｍ）−R（限定受信方式）なるスクランブル方式に準じた応用が検討されている。
【０００３】
再送信先の形態にはＣＡＴＶ，ＩＰ（Internet Protocol）網といったものがあるが、後者に関しては放送事業者の送信機によっていわば暗号処理された放送信号について中継事業者が解読処理を行うことなく、該放送信号の全てまたは一部に、前記放送事業者の送信機が行ったＣＡＳ処理とは異なる暗号処理を行う多重暗号化装置に関する技術が表されている（特許文献１）。しかし、ＴＳ（トランスポートストリーム）として、視聴者が必要な映像信号以外に特にＥＭＭ（受信機側の個別情報）といった特定視聴者以外の他の視聴者にとっての不要情報を常時ＩＰ網に流してＩＰ網に負荷をかけることは問題であるが、これを防止する方法は開示されていなかった。
【特許文献１】特開２００４−９６２７４号公報
【非特許文献１】ＡＲＩＢ  ＳＴＤ−Ｂ２５  ４．１版
【発明の開示】
【発明が解決しようとする課題】
【０００４】
本発明は、個別情報をネットワーク網に流す頻度をより低減するためのネットワーク再送信装置及びネットワーク受信装置を提供することを目的とする。
【課題を解決するための手段】
【０００５】
上記課題を解決するために、本発明のネットワーク再送受システムは、放送事業者の送信機から送信されたデジタル放送に係る放送信号をネットワーク受信装置に再送信するネットワーク再送信装置であって前記放送事業者の送信機によって暗号処理された放送信号について解読処理を行うことなく該放送信号の全てまたは一部に前記放送事業者の送信機が行った暗号処理とは異なる暗号処理を行う多重暗号化部と前記放送信号を選局後の前記多重暗号化部へ導かれる信号から個別情報を選別し分離し個別情報がInternet Protocol網に常時送信されるのを防ぐように働くデマルチプレクサと前記デマルチプレクサからの個別情報を記憶する記憶部と前記多重暗号化部の暗号処理に伴う個別情報と前記記憶部に記憶された個別情報とを配信する配信サーバとを備えたことを特徴とするネットワーク再送信装置と、
【０００６】
放送事業者の送信機から送信されたデジタル放送に係る放送信号のネットワーク再送信装置からの再送信を受信するネットワーク受信装置であって前記ネットワーク再送信装置によって暗号処理された放送信号について解読処理を行う第１のデスクランブラと前記第１のデスクランブラからの信号を入力しInternet Protocol網より取得する個別情報に基づき前記放送事業者の送信機が行った暗号処理について解読処理を行う第２のデスクランブラとを備えたことを特徴とするネットワーク受信装置とを構成要素とする。
【発明の効果】
【０００７】
本発明によれば、個別情報をネットワーク網に流す頻度をより低減するためのネットワーク再送信装置及びネットワーク受信装置が得られる。
【発明を実施するための最良の形態】
【０００８】
以下、本発明の実施例を説明する。
【実施例１】
【０００９】
本発明による実施例１を図１および図１０を参照して説明する。
無線放送波はテレビといった放送受信機で受信・選局し復号して放送受信機のユーザーに視聴されることが一般的である。しかし無線放送波を同様に受信しこれをネットワークの形式に変えて供給（再送信）することが行われている。ネットワークの形式としてはCATVやIP(Internet Protocol)網が知られている。このうち以下特にIP網の例について述べる。
【００１０】
図１は、本発明による一実施例の背景である地上デジタル放送の配信の概要図である。全体システム構成として、IPインフラを用いた地上デジタル放送の再配信は、IPマルチキャスト方式により実現される。本配信方式では、同図に示すように、ローカル送出サーバで、放送波をいったんチューナで受信し、IP網で配信可能な形態に変換した後、IP網へマルチキャスト方式で配信する。図中の配信処理部は、主に著作権保護、及び、ビットレート低減の処理を行い、ＩＰ化部によりＩＰパケットへの多重が行われる。受信端末においては、受信端末の接続されている収容局内のエッジルータに、IPマルチキャストアドレスを送信することで所定の放送コンテンツを受信することができる。本方式では、放送波を受信する場合と異なり、ＩＰマルチキャストアドレスを指定することで所望の放送番組を選択する。
【００１１】
図２は、ヘッドエンド側（送信機側）の一実施例を示すブロック構成図である。
受信アンテナ１により電波（地上放送や衛星放送）による放送信号を受信しチューナ２により選局したのち、選局された信号からデマルチプレクサ３ではＥＭＭ（電波）なるものが分離され、デマルチプレクサ３からIP区間用スクランブラ８への出力信号中にはＥＭＭ（電波）は取り除かれており、このＩＰ網へ出力される信号にはＥＭＭ（電波）が含まれないように構成されている。
【００１２】
ここで、ＥＭＭ（電波）について説明する。ARIB（電波産業界）規格「デジタル放送におけるアクセス制御方式」(ARIB STD-B25)には、電波に含まれる情報として有料放送等に必要なスクランブルの実施に必要なものとして関わる所謂関連情報が規定されており、この関連情報にはＥＣＭ（Entitlement Control Message）という所謂共通情報と、ＥＭＭ（Entitlement Management Message）という所謂個別情報とがある。この電波で受信した放送信号中の個別情報をここでは上記のようにＥＭＭ（電波）とよびまたこの共通情報を以下述べるようにＥCＭ（電波）と呼ぶことにする。また、以後これらに準じたIP網用の個別情報を以下ＥＭＭ（IP）と呼びまたIP網用の共通情報をＥCＭ（IP）と呼んで簡単に区別することとする。因みにＥCＭ（IP）とＥＭＭ（IP）のセクション構成の一例は夫々図３、図４のように定めているとするが、要はデータ構造ではなく情報として捉えられるものである。
【００１３】
図２のデマルチプレクサ３の出力信号は、電波でのＭＵＬＴＩ２方式のスクランブルを解かずに、さらにIP区間用スクランブラ８において例えばＡＥＳ（Advanced Encryption Standard）方式のスクランブルをかけるよう構成されている。なお、IP区間用スクランブルをかける対象は、少なくとも電波でのＭＵＬＴＩ２方式のスクランブルがかかったＴＳパケットとする。さらに、ＥＣＭ（電波）もIP区間用スクランブルすることにより、セキュリティーの向上をはかることができる。このとき、IP区間用スクランブラ８にはスクランブル鍵生成部９で生成したスクランブル鍵が提供され、スクランブルされる。なおスクランブル鍵生成部９で生成したスクランブル鍵はＥＣＭ（IP）の一部として使用され、ＥＣＭ化部１１にてＥＣＭ（IP）化された後、マルチプレクサ部１３にて信号に多重される。ＥＣＭ化部１１ではＥＣＭ（IP）はIP網で使用されるワーク鍵Ｋｗ_ IPにて暗号化されている。マルチプレクサ部１３の出力信号であるＴＳ（トランスポートストリーム）はＩＰ化部１４にてＴＳパケットをＩＰパケットに多重し、ＩＰマルチキャスト伝送される。上記のIP区間用スクランブラ８、スクランブル鍵生成部９、ＥＣＭ化部１１、マルチプレクサ部１３、ＩＰ化部１４の組合せにおいて、放送事業者の送信機が行った暗号処理とは異なる暗号処理を行う多重暗号化部を構成している。
【００１４】
一方視聴者管理データベース１０は当該IP網の中継器（ヘッドエンド）で管理している視聴者の管理データベースであり、ＥＭＭ化部１２にて視聴契約に基づきIP網で使用されるワーク鍵Ｋｗ_ IPを含むＥＭＭ（IP）を生成し、IP網で使用されるマスター鍵Ｋｍｉ_ IPにて暗号化される。なお、分離されたＥＭＭ（電波）は、ＥＭＭ（電波）の記憶部１５に与えられる。
【００１５】
無線放送波においてはＥＭＭ（電波）は繰り返し伝送される情報であり、従って、ＩＰ網ではこの常時伝送される伝送帯域は不要となるため、ＩＰ網での伝送負荷を減少させることが可能となる。なお、当該ＥＭＭ（電波）はＥＭＭ（電波）の記憶部１５に記憶され、配信サーバ１６がこれを取り出し受信機に適宜提供する。なお、ＥＭＭ（IP）は、配信サーバ１６が受信機に適宜提供する。
【００１６】
図５は、実施例の相互認証暗号化鍵共有のシーケンスチャートである。暗号方式としてはＰＫＩ（Public Key Infrastructure）などを用いた公開鍵暗号方式もあるが、これは共通鍵暗号方式による例である。事前に暗号化鍵を共有しているものとする。まず受信機のIP区間用CASカードよりチャレンジデータとして乱数を送信すると配信サーバがこれを受け対応するレスポンスデータ（暗号化した乱数）を返信する。続いて配信サーバがチャレンジデータとして別の乱数を送信するとIP区間用CASカードがこれを受け対応するレスポンスデータ（暗号化したこの別の乱数）を返信する。このように各々が相互認証を行なう毎に、異なる乱数を発生し使用することにより、相互認証のシーケンスを盗聴する不正行為を防止することが可能になる。この暗号化鍵を秘密に保持することにより、第３者のなりすましを防止することも可能である。
【００１７】
図２に対応する、本発明の受信機の実施例を図６に示す。ＩＰ網から受信した信号は、一旦ＴＳ化部２１にてＴＳ（トランスポートストリーム）に戻されるが、このＴＳ化部２１はヘッドエンド側でＴＳをＩＰ網で伝送する場合に、ＴＳパケットをＩＰパケットに多重して伝送したものを、受信機でＴＳパケットを分離し、再度ＴＳに戻す処理部である。ＴＳに戻した後は、通常の放送信号のＴＳと同様な受信処理になる。
【００１８】
ＴＳ化部２１の出力信号は、デマルチプレクサ２２にてＥＣＭ（ＩＰ）が分離され、分離されたＥＣＭ（ＩＰ）はIP区間用ＣＡＳカード２５へ与えられ、IP区間用ＣＡＳカード２５では別途取得するＥＭＭ（ＩＰ）で提供されるワーク鍵Ｋｗ_ IPにて、このＥＣＭ（ＩＰ）を暗号復号の後、ＥＣＭ（ＩＰ）からスクランブルＫｓ_IPを得る。さらに得られたスクランブルＫｓ_IPを使用して、IP区間用デスクランブラ２６にてデスクランブルされるよう構成されている。
【００１９】
ＥＭＭ（ＩＰ）等に関する動作であるが、受信機は以下のような動作タイミングで配信サーバ１６から取得するものとする。
例１）            受信機の電源ＯＮ時もしくはIP区間用ＣＡＳカード挿入時（図７のS101,S102）：視聴開始前に取りに行くことになるため、ワーク鍵Ｋｗ_ IPが更新されていても常に最新のワーク鍵Ｋｗ_ IPを含むＥＭＭ（ＩＰ）が取得可能である。なお、このようにした場合には、ある程度頻繁に取りに行くため、配信サーバ１６への負荷が高くなることが想定されるが、ＩＰ網への負荷という観点からは常時伝送する場合に比べて少なくすることが可能となる。なお、図示はしていないが、ＥＭＭ（ＩＰ）を図２に示す配信サーバ１６から取得するために、IP区間用ＣＡＳカード２５と配信サーバ１６間でのデータの授受が必要である。データの授受とは、例えばIP区間用ＣＡＳカード２５からＥＭＭ（ＩＰ）取得の要求と、それに対する配信サーバ１６からのＥＭＭ（ＩＰ）の送付である。なお、IP区間用ＣＡＳカード２５と配信サーバ１６間でのデータの授受では、IP区間用ＣＡＳカード２５が直接IP網に接続されているのではなく、図示しない受信機のIP網への接続部を介して接続されるものとする。またIP区間用ＣＡＳカード２５と配信サーバ１６間とのデータの授受として、さらにIP区間用ＣＡＳカード２５と配信サーバ１６間での図５のように認証処理（S103）を行い、相互に認証が出来た場合に（S104）、IP区間用ＣＡＳカード２５からＥＭＭ（ＩＰ）を要求し、配信サーバ１６からのＥＭＭ（ＩＰ）の送付（S105）をしても良い。この場合には図５の説明のように相互認証のための通信（データの授受）が必要である。
【００２０】
例２）            IP区間用ＣＡＳカード２５にて処理した場合に何らかのエラーとなった場合（図8のS201）：何らかのエラーとは例えば最新のワーク鍵Ｋｗ_ IPを保持していないために、ＥＣＭ（ＩＰ）を復号できずエラーとなった場合や、ＥＣＭ（ＩＰ）に中継（放送）しているチャンネルや番組の属性情報が含まれるおり、視聴者毎に異なるＥＭＭ（ＩＰ）内の契約チャンネルや番組の属性情報との比較で視聴不可となった場合等のことである。例えばＥＣＭ（ＩＰ）を復号できずエラーとなった場合に、最新のワーク鍵Ｋｗ_ IPを保持していないと判断し、配信サーバ１６へＥＭＭ（ＩＰ）を取得（S202, 203, 204）しにいくものとする。ワーク鍵Ｋｗ_ IPの更新等の事象が発生しないかぎり、配信サーバ１６へ取得しにいかないため、配信サーバ１６への負荷が例１）よりも低くなる他、ＩＰ網への負荷という観点からも例１）よりも低くなる。なお、図示はしていないが、例1)と同様に、配信サーバ１６へＥＭＭ（ＩＰ）を取得するため、IP区間用ＣＡＳカード２５と配信サーバ１６間のデータの授受を取り扱う処理部が必要である。
【００２１】
例３）            IP区間用ＣＡＳカード２５にて処理した場合に何らかのエラーとなった場合であって、契約解除で無い場合（図9のS301,S302）：何らかのエラーとは例２）と同様の内容である。契約解除で無い場合とは、ＩＰマルチキャスト伝送が、ＩＰマルチキャスト伝送している事業者と視聴者との契約に基づき実施されている場合に、契約が継続しているかどうかということである。受信機が契約の有無を判断し、契約解除で無い場合に、例２）と同様に配信サーバ１６へＥＭＭ（ＩＰ）を取得（S302, 303, 304）しにいくものとする。すなわちこの場合には契約解除後に配信サーバ１６へ取得しにいかないため、配信サーバ１６への負荷が例２）よりも低くなる他、ＩＰ網への負荷という観点からも例２）よりも低くなる。契約解除か否かを示す情報は、ＥＭＭ（ＩＰ）で提供されるものとする。従って契約解除後の初回の何らかのエラーとなった場合には、その時点では受信機（IP区間用ＣＡＳカード２５）は契約解除と認識していないため、配信サーバ１６へＥＭＭ（ＩＰ）を取得しにいき、その時点で取得したＥＭＭ（ＩＰ）には契約解除である情報が含まれるようになる。従って、この契約解除である情報が含まれるＥＭＭ（ＩＰ）を取得した以後、受信機は配信サーバ１６へ取得しにいかないようになる。なお、再度契約をして視聴を開始するためには、ユーザーが受信機を操作して配信サーバ１６へＥＭＭ（ＩＰ）を取得しにいくものとする。そのためのユーザーインターフェースを受信機は具備するものとする。例えば、配信サーバ１６へＥＭＭ（ＩＰ）を取得しにいくためのメニュー表示機能、取得の意思確認をするためのボタンもしくはメニュー上のアイコン等、ユーザーの意思が確認する機能、確認できた場合に、配信サーバ１６へＥＭＭ（ＩＰ）を取得する機能である。
【００２２】
IP区間用デスクランブラ２６にてデスクランブルされた信号は、次にデマルチプレクサ２７にてＥＣＭ（電波）が分離される。分離されたＥＣＭ（電波）は電波区間用ＣＡＳカード３０へ与えられ、別途取得するＥＭＭ（電波）で提供されるワーク鍵Ｋｗにて暗号復号の後、電波でのＭＵＬＴＩ２方式のスクランブル用のスクランブルＫｓを得て、ＭＵＬＴＩ２デスクランブラ３１にてデスクランブルされる。ここでＥＭＭ（電波）であるが、受信機は以下のようなタイミングで配信サーバ１６から取得するものとする。
【００２３】
例４）            受信機の電源ＯＮ時もしくは電波区間用ＣＡＳカード挿入時（図10のS401,S402）：視聴開始前に取りに行くことになるため、ワーク鍵Ｋｗが更新されていても常に最新のワーク鍵Ｋｗを含むＥＭＭ（電波）が取得可能である。なお、このようにした場合には、ある程度頻繁に取りに行くため、配信サーバ１６への負荷が高くなることが想定されるが、ＩＰ網への負荷という観点からは常時伝送する場合に比べて少なくすることが可能となる。なお、図示はしていないが、ＥＭＭ（電波）を図３に示す配信サーバ１６から取得するために、電波区間用ＣＡＳカード３０と配信サーバ１６間でのデータの授受が必要である。データの授受とは、例えば電波区間用ＣＡＳカード３０からＥＭＭ（電波）取得の要求と、それに対する配信サーバ１６からのＥＭＭ（電波）の送付である。なお、電波区間用ＣＡＳカード３０と配信サーバ１６間でのデータの授受では、電波区間用ＣＡＳカード３０が直接IP網に接続されているのではなく、図示しない受信機のIP網への接続部を介して接続されるものとする。また、ＥＭＭ（電波）は電波区間用の暗号がかけられているが、配信サーバ１６でIP伝送用の暗号をさらにかけ、図示しない受信機のIP網への接続部にてIP伝送用の暗号を復号し、電波区間用ＣＡＳカード３０へＥＭＭ（電波）を提供するようにすることで、セキュリティーの向上をはかることも可能である。
【００２４】
また電波区間用ＣＡＳカード３０と配信サーバ１６間とのデータの授受として、さらに電波区間用ＣＡＳカード３０と配信サーバ１６間での認証処理（S403）を行い、相互に認証が出来た場合（S404）に、電波区間用ＣＡＳカード３０からＥＭＭ（電波）を要求し、配信サーバ１６からのＥＭＭ（電波）の送付（S405）をしても良い。この場合には相互認証のための通信（データの授受）が必要である。
【００２５】
例５）            電波区間用ＣＡＳカード２５にて処理した場合に何らかのエラーとなった場合：何らかのエラーとは例えば最新のワーク鍵Ｋｗを保持していないために、ＥＣＭ（電波）を復号できずエラーとなった場合や、ＥＣＭ（電波）に中継（放送）しているチャンネルや番組の属性情報が含まれるおり、視聴者毎に異なるＥＭＭ（電波）内の契約チャンネルや番組の属性情報との比較で視聴不可となった場合等のことである。例えばＥＣＭ（電波）を復号できずエラーとなった場合に、最新のワーク鍵Ｋｗを保持していないと判断し、配信サーバ１６へＥＭＭ（電波）を取得しにいくものとする。ワーク鍵Ｋｗの更新等の事象が発生しないかぎり、配信サーバ１６へ取得しにいかないため、配信サーバ１６への負荷が例４）よりも低くなる他、ＩＰ網への負荷という観点からも例４）よりも低くなる。なお、図示はしていないが、例４）と同様に、配信サーバ１６へＥＭＭ（電波）を取得するため、電波区間用ＣＡＳカード３０と配信サーバ１６間のデータの授受を取り扱う処理部が必要である。
【実施例２】
【００２６】
本発明による実施例２を図１１及び図１２を参照して説明する。
本発明のヘッドエンド側（送信側）の実施例を図１１に示す。実施例１と共通する部分は説明を省略する。図２の例と異なるのは、ヘッドエンドにてＭＵＬＴＩ２方式のスクランブルを解いてＩＰマルチキャスト伝送することである。すなわちこの実施例は、視聴者の管理をＩＰマルチキャスト伝送する事業者に完全に委託する場合の例である。
【００２７】
デマルチプレクサ３ではＥＭＭ（電波）とＥＣＭ（電波）が分離され、フィルタリング部４とＩＤ記憶部５により当該電波区間用ＣＡＳカード６用のＥＭＭ（電波）をフィルタリング後に電波区間用ＣＡＳカード６へ与えられる。一方のＥＣＭ（電波）は電波区間用ＣＡＳカード６へ与えられる。
【００２８】
なおデマルチプレクサ３からＭＵＬＴＩ２デスクランブラ７を経由するIP区間用スクランブラ８への出力信号中にはＥＭＭ（電波）とＥＣＭ（電波）は取り除かれており、ＩＰ網へ出力される信号にはＥＭＭ（電波）とＥＣＭ（電波）が含まれないものとする。このＥＭＭ（電波）とＥＣＭ（電波）は繰り返し伝送される情報であり、この常時伝送される伝送帯域は不要となるため、ＩＰ網での伝送負荷を減少させることが可能となる。
【００２９】
デマルチプレクサ３の出力信号は、ＭＵＬＴＩ２デスクランブラ７においてＭＵＬＴＩ２方式のスクランブルを解いた後、IP区間用スクランブラ８においてスクランブルをかけられる。なおスクランブル鍵生成部で生成したスクランブル鍵はＥＣＭ（IP）の一部として使用され、ＥＣＭ化部１１にてＥＣＭ（IP）化された後、マルチプレクサ部１３にて信号に多重される。ＥＣＭ化部１１ではＥＣＭ（IP）はIP網で使用されるワーク鍵Ｋｗ_ IPにて暗号化されている。マルチプレクサ部１３の出力信号であるＴＳ（トランスポートストリーム）はＩＰ化部１４にてＴＳパケットをＩＰパケットに多重し、ＩＰマルチキャスト伝送される。当該ＥＭＭ（IP）は、配信サーバ１６を通じて受信機に適宜提供される。
【００３０】
図１１に対応する、本提案の受信機の実施例を図１２に示す。
ＩＰ網から受信した信号は、一旦ＴＳ化部２１にてＴＳ（トランスポートストリーム）に戻される。これはＴＳをＩＰ網で伝送する場合に、ヘッドエンド側でＴＳパケットをＩＰパケットに多重して伝送したものを、受信機でＴＳパケットを分離し、再度ＴＳに戻す処理のことである。ＴＳに戻した後は、通常の放送信号のＴＳと同様な受信処理になる。なおクロックリカバリなどＭＰＥＧデコードに関わるタイミング情報の再生処理が必要となる場合もあるが、本発明には直接関係しないため説明は省略する。
【００３１】
ＴＳ化部２１の出力信号は、デマルチプレクサ２２にてＥＣＭ（ＩＰ）が分離される。分離されたＥＣＭ（ＩＰ）はIP区間用ＣＡＳカード２５へ与えられ、別途取得するＥＭＭ（ＩＰ）で提供されるワーク鍵Ｋｗ_ IPにて暗号復号の後、スクランブルＫｓ_IPを得て、IP区間用デスクランブラ２６にてデスクランブルされる。ここでＥＭＭ（ＩＰ）であるが、受信機は以下のようなタイミングで配信サーバ１６から取得するものとする。
【００３２】
例１）            受信機の電源ＯＮ時もしくはIP区間用ＣＡＳカード挿入時：視聴開始前に取りに行くことになるため、ワーク鍵Ｋｗ_ IPが更新されていても常に最新のワーク鍵Ｋｗ_ IPを含むＥＭＭ（ＩＰ）が取得可能である。なお、このようにした場合には、ある程度頻繁に取りに行くため、配信サーバ１６への負荷が高くなることが想定されるが、ＩＰ網への負荷という観点からは常時伝送する場合に比べて少なくすることが可能となる。なお、図示はしていないが、ＥＭＭ（ＩＰ）を図５に示す配信サーバ１６から取得するために、IP区間用ＣＡＳカード２５と配信サーバ１６間でのデータの授受が必要である。データの授受とは、例えばIP区間用ＣＡＳカード２５からＥＭＭ（ＩＰ）取得の要求と、それに対する配信サーバ１６からのＥＭＭ（ＩＰ）の送付である。なお、IP区間用ＣＡＳカード２５と配信サーバ１６間でのデータの授受では、IP区間用ＣＡＳカード２５が直接IP網に接続されているのではなく、図示しない受信機のIP網への接続部を介して接続されるものとする。またIP区間用ＣＡＳカード２５と配信サーバ１６間とのデータの授受として、さらにIP区間用ＣＡＳカード２５と配信サーバ１６間での認証処理を行い、相互に認証が出来た場合に、IP区間用ＣＡＳカード２５からＥＭＭ（ＩＰ）を要求し、配信サーバ１６からのＥＭＭ（ＩＰ）の送付をしても良い。この場合には相互認証のための通信（データの授受）が必要である。
【００３３】
例２）            IP区間用ＣＡＳカード２５にて処理した場合に何らかのエラーとなった場合：何らかのエラーとは例えば最新のワーク鍵Ｋｗ_ IPを保持していないために、ＥＣＭ（ＩＰ）を復号できずエラーとなった場合や、ＥＣＭ（ＩＰ）に中継（放送）しているチャンネルや番組の属性情報が含まれるおり、視聴者毎に異なるＥＭＭ（ＩＰ）内の契約チャンネルや番組の属性情報との比較で視聴不可となった場合等のことである。例えばＥＣＭ（ＩＰ）を復号できずエラーとなった場合に、最新のワーク鍵Ｋｗ_ IPを保持していないと判断し、配信サーバ１６へＥＭＭ（ＩＰ）を取得しにいくものとする。ワーク鍵Ｋｗ_ IPの更新等の事象が発生しないかぎり、配信サーバ１６へ取得しにいかないため、配信サーバ１６への負荷が例１）よりも低くなる他、ＩＰ網への負荷という観点からも例１）よりも低くなる。
【００３４】
例３）                        IP区間用ＣＡＳカード２５にて処理した場合に何らかのエラーとなった場合であって、契約解除で無い場合：何らかのエラーとは例２）と同様の内容である。契約解除で無い場合とは、ＩＰマルチキャスト伝送が、ＩＰマルチキャスト伝送している事業者と視聴者との契約に基づき実施されている場合に、契約が継続しているかどうかということである。受信機が契約の有無を判断し、契約解除で無い場合に、例２）と同様に配信サーバ１６へＥＭＭ（ＩＰ）を取得しにいくものとする。すなわちこの場合には契約解除後に配信サーバ１６へ取得しにいかないため、配信サーバ１６への負荷が例２）よりも低くなる他、ＩＰ網への負荷という観点からも例２）よりも低くなる。契約解除か否かを示す情報は、ＥＭＭ（ＩＰ）で提供されるものとする。従って契約解除後の初回の何らかのエラーとなった場合には、その時点では受信機（IP区間用ＣＡＳカード２５）は契約解除と認識していないため、配信サーバ１６へＥＭＭ（ＩＰ）を取得しにいき、その時点で取得したＥＭＭ（ＩＰ）には契約解除である情報が含まれているため、以後、配信サーバ１６へ取得しにいかないようになる。なお、再度契約をして視聴を開始するためには、ユーザーが受信機を操作して配信サーバ１６へＥＭＭ（ＩＰ）を取得しにいくものとする。そのためのユーザーインターフェースを受信機は具備するものとする。例えば、配信サーバ１６へＥＭＭ（ＩＰ）を取得しにいくためのメニュー表示機能、取得の意思確認をするためのボタンもしくはメニュー上のアイコン等、ユーザーの意思が確認する機能、確認できた場合に、配信サーバ１６へＥＭＭ（ＩＰ）を取得する機能である。
【実施例３】
【００３５】
本発明による実施例３を図１３及び図１４を参照して説明する。実施例１、２と共通する部分は説明を省略する。
本発明のヘッドエンド側（送信側）の実施例を図７に示す。図１１の例と異なるのは、ヘッドエンド側にてＭＵＬＴＩ２方式のスクランブルを解いてＩＰマルチキャスト伝送することに関して、ＥＣＭ（電波）をＩＰ網にも影響するようにした（電波区間の放送事業者によるＣＡＳの制御がＩＰ網にも影響するようにした）ところである。すなわちこの実施例は、視聴者の管理をＩＰマルチキャスト伝送する事業者に完全には委託しない場合の例である。
【００３６】
デマルチプレクサ３ではＥＭＭ（電波）とＥＣＭ（電波）が分離され、ＥＭＭ（電波）は記憶部１５に与えられる他、フィルタリング部４とＩＤ記憶部５により当該電波区間用ＣＡＳカード６用のＥＭＭ（電波）がフィルタリングされ電波区間用ＣＡＳカード６へフィルタリング４ａとおよびＩＤ記憶部５ａによりカード１ａ用のＥＭＭがフィルタリングされ、カード１ａへ与えられる。一方のＥＣＭ（電波）も同様に記憶部１７に与えられる他、電波区間用ＣＡＳカード４へ与えられる。
【００３７】
なおデマルチプレクサ３からＭＵＬＴＩ２デスクランブラ７への出力信号中にはＥＭＭ（電波）とＥＣＭ（電波）は取り除かれており、ＩＰ網へ出力される信号にはＥＭＭ（電波）とＥＣＭ（電波）が含まれないものとする。従って、ＥＭＭ（電波）とＥＣＭ（電波）は繰り返し伝送されている情報であるが、ＩＰ網においてはこの常時伝送される伝送帯域は不要となるため、ＩＰ網での伝送負荷を減少させることが可能となる。
【００３８】
デマルチプレクサ３のＭＵＬＴＩ２デスクランブラ７への出力信号は、ＭＵＬＴＩ２方式のスクランブルを解かれた後、IP区間用スクランブラ８においてスクランブルをかけられる。このとき、IP区間用スクランブラ８にはスクランブル鍵生成部９で生成したスクランブル鍵をスクランブル鍵変換部１８で変換した後、提供され、スクランブルされる。
【００３９】
スクランブル鍵変換部１８には変換のための情報として、電波区間用ＣＡＳカード１９からスクランブル鍵Ｋｓが与えられる。このスクランブル鍵Ｋｓは、先に説明した記憶部１７に記憶したＥＣＭ（電波）の情報を呼び出して電波区間用ＣＡＳカード１９へ与え、その出力スクランブル鍵Ｋｓを使用する。なお記憶部１７へのＥＣＭ（電波）の記憶は、例えば番組ごと、チャンネルごとなどの単位である。例えば、無料放送や月ぎめ契約の放送においてはチャンネル毎の単位であり、チャンネル毎に例えば１日1回記憶すれば良く、ＰＰＶ（ペイパーヴュー）放送など番組単位の放送では、番組単位（番組の開始直後）で記憶すれば良い。このように記憶する情報はチャンネルごと、番組毎に異なるため、前記スクランブル鍵Ｋｓの取得は、記憶部１７へのＥＣＭ（電波）の記憶する毎に行うものとする。なお、記憶部１７へＥＣＭ（電波）を記憶し、スクランブル鍵変換部１８に使用する前記スクランブル鍵Ｋｓ電波を変更した場合には、その変更が受信機側でもわかるように、記憶部１７からＥＣＭ化部１１に情報を与え、ＥＣＭ化部１１で生成するＥＣＭの情報の一部とし、すなわち記憶部１７へ記憶したＥＣＭ（電波）が更新されたことを少なくとも示す情報がＥＣＭ（IP）の情報の一部として提供される。
【００４０】
また、スクランブル鍵生成部９で生成したスクランブル鍵はＥＣＭ（IP）の一部として使用され、ＥＣＭ化部１１にてＥＣＭ（IP）化された後、マルチプレクサ部１３にて信号に多重される。このＥＣＭ化部１１ではＥＣＭ（IP）はIP網で使用されるワーク鍵Ｋｗ_ IPにて暗号化されている。マルチプレクサ部１３の出力信号であるＴＳ（トランスポートストリーム）はＩＰ化部１４にてＴＳパケットをＩＰパケットに多重し、ＩＰマルチキャスト伝送される。
【００４１】
一方視聴者管理データベース１０は当該IP網の中継器（ヘッドエンド）で管理している視聴者の管理データベースであり、ＥＭＭ化部１２にて視聴契約に基づきIP網で使用されるワーク鍵Ｋｗ_ IPを含むＥＭＭ（IP）を生成し、IP網で使用されるマスター鍵Ｋｍｉ_ IPにて暗号化される。当該ＥＭＭ（IP）は、配信サーバ１６を通じて受信機に適宜提供される。
【００４２】
図１３に対応する、本発明の受信機の実施例を図１４に示す。
ＩＰ網から受信した信号は、一旦ＴＳ化部２１にてＴＳ（トランスポートストリーム）に戻される。これはＴＳをＩＰ網で伝送する場合に、ヘッドエンド側でＴＳパケットをＩＰパケットに多重して伝送したものを、受信機でＴＳパケットを分離し、再度ＴＳに戻す処理のことである。ＴＳに戻した後は、通常の放送信号のＴＳと同様な受信処理になる。
【００４３】
ＴＳ化部２１の出力信号は、デマルチプレクサ２２にてＥＣＭ（ＩＰ）が分離される。分離されたＥＣＭ（ＩＰ）はIP区間用ＣＡＳカード２５へ与えられ、別途取得するＥＭＭ（ＩＰ）で提供されるワーク鍵Ｋｗ_ IPにて暗号復号の後、スクランブルＫｓ_IPを得て、さらにデスクランブル鍵変換部３２にてIP区間用デスクランブラ２６にあたえるデスクランブル鍵に変換後、IP区間用デスクランブラ２６にてデスクランブルされる。ここでデスクランブル鍵変換部３２は、ヘッドエンド側のスクランブル鍵変換部１８と同じ機能であって、スクランブルＫｓ_IPとスクランブルＫｓ電波が同じであれば、同じスクランブル鍵が得られる変換部であるものとする。
【００４４】
ここでＥＭＭ（ＩＰ）の取得に関しては、受信機は以下のようなタイミングで配信サーバ１６から取得するものとする。
例１）            受信機の電源ＯＮ時、IP区間用ＣＡＳカード挿入時：視聴開始前に取りに行くことになるため、ワーク鍵Ｋｗ_ IPが更新されていても常に最新のワーク鍵Ｋｗ_ IPを含むＥＭＭ（ＩＰ）が取得可能である。なお、このようにした場合には、ある程度頻繁に取りに行くため、配信サーバ１６への負荷が高くなることが想定されるが、ＩＰ網への負荷という観点からは常時伝送する場合に比べて少なくすることが可能となる。なお、図示はしていないが、ＥＭＭ（ＩＰ）を図７に示す配信サーバ１６から取得するために、IP区間用ＣＡＳカード２５と配信サーバ１６間でのデータの授受が必要である。データの授受とは、例えばIP区間用ＣＡＳカード２５からＥＭＭ（ＩＰ）取得の要求と、それに対する配信サーバ１６からのＥＭＭ（ＩＰ）の送付である。なお、IP区間用ＣＡＳカード２５と配信サーバ１６間でのデータの授受では、IP区間用ＣＡＳカード２５が直接IP網に接続されているのではなく、図示しない受信機のIP網への接続部を介して接続されるものとする。またIP区間用ＣＡＳカード２５と配信サーバ１６間とのデータの授受として、さらにIP区間用ＣＡＳカード２５と配信サーバ１６間での認証処理を行い、相互に認証が出来た場合に、IP区間用ＣＡＳカード２５からＥＭＭ（ＩＰ）を要求し、配信サーバ１６からのＥＭＭ（ＩＰ）の送付をしても良い。この場合には相互認証のための通信（データの授受）が必要である。
【００４５】
例２）            IP区間用ＣＡＳカード２５にて処理した場合に何らかのエラーとなった場合：何らかのエラーとは例えば最新のワーク鍵Ｋｗ_ IPを保持していないために、ＥＣＭ（ＩＰ）を復号できずエラーとなった場合や、ＥＣＭ（ＩＰ）に中継（放送）しているチャンネルや番組の属性情報が含まれるおり、視聴者毎に異なるＥＭＭ（ＩＰ）内の契約チャンネルや番組の属性情報との比較で視聴不可となった場合等のことである。例えばＥＣＭ（ＩＰ）を復号できずエラーとなった場合に、最新のワーク鍵Ｋｗ_ IPを保持していないと判断し、配信サーバ１６へＥＭＭ（ＩＰ）を取得しにいくものとする。ワーク鍵Ｋｗ_ IPの更新等の事象が発生しないかぎり、配信サーバ１６へ取得しにいかないため、配信サーバ１６への負荷が例１）よりも低くなる他、ＩＰ網への負荷という観点からも例１）よりも低くなる。
【００４６】
例３）            IP区間用ＣＡＳカード２５にて処理した場合に何らかのエラーとなった場合であって、契約解除で無い場合：何らかのエラーとは例２）と同様の内容である。契約解除で無い場合とは、ＩＰマルチキャスト伝送が、ＩＰマルチキャスト伝送している事業者と視聴者との契約に基づき実施されている場合に、契約が継続しているかどうかということである。受信機が契約の有無を判断し、契約解除で無い場合に、例２）と同様に配信サーバ１６へＥＭＭ（ＩＰ）を取得しにいくものとする。すなわちこの場合には契約解除後に配信サーバ１６へ取得しにいかないため、配信サーバ１６への負荷が例２）よりも低くなる他、ＩＰ網への負荷という観点からも例２）よりも低くなる。契約解除か否かを示す情報は、ＥＭＭ（ＩＰ）で提供されるものとする。従って契約解除後の初回の何らかのエラーとなった場合には、その時点では受信機（IP区間用ＣＡＳカード２５）は契約解除と認識していないため、配信サーバ１６へＥＭＭ（ＩＰ）を取得しにいき、その時点で取得したＥＭＭ（ＩＰ）には契約解除である情報が含まれているため、以後、配信サーバ１６へ取得しにいかないようになる。なお、再度契約をして視聴を開始するためには、ユーザーが受信機を操作して配信サーバ１６へＥＭＭ（ＩＰ）を取得しにいくものとする。そのためのユーザーインターフェースを受信機は具備するものとする。例えば、配信サーバ１６へＥＭＭ（ＩＰ）を取得しにいくためのメニュー表示機能、取得の意思確認をするためのボタンもしくはメニュー上のアイコン等、ユーザーの意思が確認する機能、確認できた場合に、配信サーバ１６へＥＭＭ（ＩＰ）を取得する機能である。
【００４７】
ＥＭＭ（電波）であるが、受信機は以下のようなタイミングで配信サーバ１６から取得するものとする。
例４）            受信機の電源ＯＮ時、電波区間用ＣＡＳカード挿入時：視聴開始前に取りに行くことになるため、ワーク鍵Ｋｗが更新されていても常に最新のワーク鍵Ｋｗを含むＥＭＭ（電波）が取得可能である。なお、このようにした場合には、ある程度頻繁に取りに行くため、配信サーバ１６への負荷が高くなることが想定されるが、ＩＰ網への負荷という観点からは常時伝送する場合に比べて少なくすることが可能となる。
【００４８】
例５）            電波区間用ＣＡＳカード３０にて処理した場合に何らかのエラーとなった場合：何らかのエラーとは例えば最新のワーク鍵Ｋｗを保持していないために、ＥＣＭ（電波）を復号できずエラーとなった場合や、ＥＣＭ（電波）に中継（放送）しているチャンネルや番組の属性情報が含まれるおり、視聴者毎に異なるＥＭＭ（電波）内の契約チャンネルや番組の属性情報との比較で視聴不可となった場合等のことである。例えばＥＣＭ（電波）を復号できずエラーとなった場合に、最新のワーク鍵Ｋｗを保持していないと判断し、配信サーバ１６へＥＭＭ（電波）を取得しにいくものとする。ワーク鍵Ｋｗの更新等の事象が発生しないかぎり、配信サーバ１６へ取得しにいかないため、配信サーバ１６への負荷が例４）よりも低くなる他、ＩＰ網への負荷という観点からも例４）よりも低くなる。
【００４９】
またＥＣＭ（電波）であるが、受信機は以下のようなタイミングで配信サーバ１６から取得するものとする。
例６）            前述のようにヘッドエンドでは記憶部１７へのＥＣＭ（電波）を記憶した際（変更した際）には、その情報が受信機側でもわかるように、記憶部１７からＥＣＭ化部１１に情報を与え、ＥＣＭ化部１１で生成するＥＣＭの情報の一部として提供される。従って、受信機ではその情報に従い、更新を検知した場合に、最新のＥＣＭ（電波）を配信サーバ１６へ取りに行くものとする。
【００５０】
その更新を検知させるための情報とは、例えば単調増加する番号（以下更新番号と呼ぶ）であり、IP区間用ＣＡＳカード２５が最新の更新番号をカード内の不揮発メモリに記憶しておき、受信したＥＣＭ（ＩＰ）内の更新番号と比較した場合に、両更新番号を比較し、同一であれば更新が無いと判断し、もし、ＥＣＭ（ＩＰ）内の更新番号が大きい場合には、更新があったと判断する。更新があったと判断した場合には、配信サーバ１６から最新のＥＣＭ（電波）を取得し、電波区間用ＣＡＳカード３０に与えるものとする。
【００５１】
そのために、例えば図示はしていないが、IP区間用ＣＡＳカード２５から電波区間用ＣＡＳカード３０へＥＣＭ（電波）の更新を通知し、電波区間用ＣＡＳカード３０にＥＣＭ（電波）を取得させるように促しても良いし、IP区間用ＣＡＳカード２５や電波区間用ＣＡＳカード３０がＩＰ網へ接続するための受信機ＩＰ接続部（図示はしていない）が、IP区間用ＣＡＳカード２５からＥＣＭ（電波）の更新を一旦受け、電波区間用ＣＡＳカード３０へ通知するなどしても良い。
【００５２】
本発明はネットワークを用いて受信側のチューナを不要にしている。さらにこれらIP網を用いた実施例では、IPマルチキャストアドレスを指定するという簡易な方法で受信を可能にしている。
【００５３】
本発明においては、受信機側においてもＥＭＭ（電波）、ＥＭＭ（ＩＰ）をカードへ導く前にフィルタリングを行う必要がなくフィルタリング部が不要という効果もある。
【００５４】
なお、この発明は上記実施例に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５５】
【図１】この発明による一実施例の背景である地上デジタル放送の配信の概要図。
【図２】本発明による一実施例のヘッドエンド側（送信機側）を示すブロック構成図。
【図３】同実施例の関連情報（ＩＰ）のうちＥＣＭセクション構造を示す構成図。
【図４】同実施例の関連情報（ＩＰ）のうちＥＭＭセクション構造を示す構成図。
【図５】同実施例の相互認証鍵暗号化共有のシーケンスチャート。
【図６】同実施例の受信機側を示すブロック構成図。
【図７】同実施例の動作フロー１。
【図８】同実施例の動作フロー２。
【図９】同実施例の動作フロー３。
【図１０】同実施例の動作フロー４。
【図１１】この発明のヘッドエンド側（送信機側）の第２の実施例を示すブロック構成図。
【図１２】同実施例の受信機側を示すブロック構成図。
【図１３】この発明のヘッドエンド側（送信機側）の第３の実施例を示すブロック構成図。
【図１４】同実施例の受信機側を示すブロック構成図。
【符号の説明】
【００５６】
１…受信アンテナ、２…チューナ、３…デマルチプレクサ、４，４ａ…フィルタリング部、５，５ａ…ＩＤ記憶部、６…電波区間用ＣＡＳカード、７…ＭＵＬＴＩ２デスクランブラ、８…IP区間用スクランブラ、９…スクランブル鍵生成部、１０…視聴者管理データベース、１１…ＥＣＭ化部、１２…ＥＭＭ化部、１３…マルチプレクサ部、１４…ＩＰ化部、１５…ＥＭＭ（電波）の記憶部、１６…配信サーバ、１７…ＥＣＭ（電波）の記憶部、１８…スクランブル鍵変換部、１９…電波区間用ＣＡＳカード、２１…ＴＳ化部、２２…デマルチプレクサ、２５…IP区間用ＣＡＳカード、２６…IP区間用デスクランブラ、２７…デマルチプレクサ、３０…電波区間用ＣＡＳカード、３１…ＭＵＬＴＩ２デスクランブラ、３２…デスクランブル鍵変換部。
【図１】
2008011206.tif 000003
【図２】
2008011206.tif 000004
【図３】
2008011206.tif 000005
【図４】
2008011206.tif 000006
【図５】
2008011206.tif 000007
【図６】
2008011206.tif 000008
【図７】
2008011206.tif 000009
【図８】
2008011206.tif 000010
【図９】
2008011206.tif 000011
【図１０】
2008011206.tif 000012
【図１１】
2008011206.tif 000013
【図１２】
2008011206.tif 000014
【図１３】
2008011206.tif 000015
【図１４】
2008011206.tif 000016